(57)【特許請求の範囲】
【請求項１】
建物の軒先に設けられた軒天材の基端部と、建物の躯体にこの躯体との間に所定間隔を隔てて取付けられた外装材の上端部との間に、軒天見切材が設けられてなる軒天見切り構造において、
前記軒天見切材は、上面部と、この上面部の下面から垂直に突出し、直角に曲折して凹溝状となっている係合部とによって構成されており、
前記軒天材の基端部と前記躯体との間に、前記外装材の上端部が配置され、前記軒天材の基端部に前記軒天見切材の係合部が係合されており、かつ、この係合部の裏側の少なくとも一部が前記外装材の上端部表面に当接されており、
前記躯体には、支持部材が前記外装材より上方位置で固定され、この支持部材と前記外装材との間の隙間に前記軒天見切材の上面部の端部が挿入され、
前記支持部材に前記軒天見切材の上面部が固定され、前記支持部材には、上下方向に貫通する通気孔が形成されていることを特徴とする軒天見切り構造。
【請求項２】
建物の軒先に設けられた軒天材の基端部と、建物の躯体にこの躯体との間に所定間隔を隔てて取付けられた外装材の上端部との間に、軒天見切材が設けられてなる軒天見切り構造において、
前記軒天見切材は、上面部と、この上面部の下面から垂直に突出し、直角に曲折して凹溝状となっている係合部とによって構成されており、
前記軒天材の基端部と前記躯体との間に、前記外装材の上端部が配置され、前記軒天材の基端部に前記軒天見切材の係合部が係合されており、かつ、この係合部の裏側の少なくとも一部が前記外装材の上端部表面に当接されており、
前記外装材の上端と屋根芯材との間に隙間が設けられており、この隙間に前記軒天見切材の上面部の端部が挿入され、
前記屋根芯材に前記軒天見切材の上面部が固定されていることを特徴とする軒天見切り構造。
【請求項３】
建物の軒先に設けられた軒天材の基端部と、建物の躯体にこの躯体との間に所定間隔を隔てて取付けられた外装材の上端部との間に、軒天見切材が設けられてなる軒天見切り構造において、
前記軒天見切材は、上面部と、この上面部の下面から垂直に突出し、直角に曲折して凹溝状となっている係合部とによって構成されており、
前記軒天材の基端部と前記躯体との間に、前記外装材の上端部が配置され、前記軒天材の基端部に前記軒天見切材の係合部が係合されており、かつ、この係合部の裏側の少なくとも一部が前記外装材の上端部表面に当接されており、
前記軒天材は屋根の軒先裏面に、該屋根の傾斜方向に沿って取付けられており、
前記外装材の上端と前記屋根との間に隙間が設けられており、この隙間に前記軒天見切材の上面部の端部が挿入され、
前記軒天見切材は屋根の裏面に固定されていることを特徴とする軒天見切り構造。
【請求項４】
建物の軒先に設けられた軒天材の基端部と、建物の躯体にこの躯体との間に所定間隔を隔てて取付けられた外装材の上端部との間に、軒天見切材が設けられてなる軒天見切り構造の施工方法であって、
前記軒天見切材は、上面部と、この上面部の下面から垂直に突出し、直角に曲折して凹溝状となっている係合部とによって構成されており、
まず、前記躯体に前記外装材を該躯体との間に所定間隔を隔てて取付け、次に、前記躯体に、上下に貫通する通気孔が形成された支持部材を前記外装材より上方位置で固定し、
次に、前記支持部材と前記外装材との間の隙間に前記軒天見切材の上面部の端部を差し込み、前記支持部材に、軒天見切材を前記外装材の表面に当接するようにして取付け、
次に、前記軒天見切材の係合部に、前記軒天材の基端部を係合することを特徴とする軒天見切り構造の施工方法。
【請求項５】
建物の軒先に設けられた軒天材の基端部と、建物の躯体にこの躯体との間に所定間隔を隔てて取付けられた外装材の上端部との間に、軒天見切材が設けられてなる軒天見切り構造の施工方法であって、
前記軒天見切材は、上面部と、この上面部の下面から垂直に突出し、直角に曲折して凹溝状となっている係合部とによって構成されており、
まず、前記躯体に、上下に貫通する通気孔が形成された支持部材を前記外装材より上方位置で固定し、
次に、前記躯体に前記外装材を該躯体との間に所定間隔を隔てて取付け、
次に、前記支持部材と前記外装材との間の隙間に前記軒天見切材の上面部の端部を差し込み、前記支持部材に、軒天見切材を前記外装材の表面に当接するようにして取付け、
次に、前記軒天見切材の係合部に、前記軒天材の基端部を係合することを特徴とする軒天見切り構造の施工方法。
【発明の詳細な説明】
【０００１】
【発明の属する技術分野】
本発明は、外壁と軒天との接合部における軒天見切り構造および軒天見切り構造の施工方法に関し、特に外壁内部の通気性を考慮したものに関する。
【０００２】
【背景の技術】
住宅の屋根の施工において、建物の躯体から突出する軒先の裏面側の軒天を施工する場合、例えば、特開平１０−１８３９１２号公報に記載の技術のように、小屋裏換気の為の換気機能を備えた換気見切り部材が用いられる場合がある。このような見切り部材は、単に、軒天や外壁の仕上げ材の端辺を外観上すっきりと仕上げる効果だけでなく、小屋裏の換気を促すものである。
【０００３】
【発明が解決しようとする課題】
ところで、上記従来の技術には次のような課題があった。
第１に、特開平１０−１８３９１２号公報に記載の技術では、見切り材を用いて軒天井の上下に連通する通気路を設けているが、建物本体の外壁内部の通気が考慮されていなかった。
第２に、見切り部材として、１つ以上の固定部材と見切り部材本体とを用いると、施工作業と部材の管理に手間がかかる。
本発明は上記課題を鑑みてなされるものであり、外壁内部の通気性を考慮し、施工および部材の管理が軽減される軒天見切り構造および軒天見切り構造の施工方法を提供することを目的とする。
【０００４】
【課題を解決するための手段】
上記課題に対し、請求項１の発明は、例えば図１に示すように、建物の軒先に設けられた軒天材１の基端部１ｂと、建物の躯体５にこの躯体５との間に所定間隔を隔てて取付けられた外装材２の上端部との間に、軒天見切材４が設けられてなる軒天見切り構造において、
前記軒天見切材４は、上面部４ｂと、この上面部４ｂの下面から垂直に突出し、直角に曲折して凹溝状となっている係合部４ａとによって構成されており、
前記軒天材１の基端部１ｂと前記躯体５との間に、前記外装材２の上端部が配置され、前記軒天材１の基端部１ｂに前記軒天見切材４の係合部４ａが係合されており、かつ、この係合部４ａの裏側の少なくとも一部が前記外装材２の上端部表面に当接されており、
前記躯体５には、支持部材６ａ，６ｂが前記外装材２より上方位置で固定され、この支持部材６ａと前記外装材２との間の隙間に前記軒天見切材４の上面部４ｂの端部が挿入され、
前記支持部材６ａに前記軒天見切材４の上面部４ｂが固定され、前記支持部材６ｂには、上下方向に貫通する通気孔８が形成されていることを特徴としている。
請求項２の発明は、例えば図４に示すように、建物の軒先に設けられた軒天材１の基端部１ｂと、建物の躯体５にこの躯体５との間に所定間隔を隔てて取付けられた外装材２の上端部との間に、軒天見切材４が設けられてなる軒天見切り構造において、
前記軒天見切材４は、上面部４ｂと、この上面部４ｂの下面から垂直に突出し、直角に曲折して凹溝状となっている係合部４ａとによって構成されており、
前記軒天材１の基端部１ｂと前記躯体５との間に、前記外装材２の上端部が配置され、前記軒天材１の基端部１ｂに前記軒天見切材４の係合部４ａが係合されており、かつ、この係合部４ａの裏側の少なくとも一部が前記外装材２の上端部表面に当接されており、
前記外装材２の上端と屋根芯材１１との間に隙間が設けられており、この隙間に前記軒天見切材４の上面部４ｂの端部が挿入され、
前記屋根芯材１１に前記軒天見切材４の上面部４ｂが固定されていることを特徴とする。
【０００５】
請求項１および２の発明によれば、前記軒天材１の基端部１ｂと前記躯体５との間に、前記外装材２の上端部が配置されているので、外装材２の端部の上面は少なくとも前記軒天材１に覆われることのない外装材２勝ちとなる。また、前記軒天材１の基端部１ｂに前記軒天見切材４が係合され、かつ、この軒天見切材４は前記外装材２の表面側に当接されているので、軒天見切材４を容易に所定の位置に取付けることができるとともに、前記軒天材１および外装材２の見切りが可能になる。さらに、このような軒天見切り構造とすることによって、前記外装材２と躯体５との間に形成された外壁内部の空間Ｓの上部が前記軒天材１あるいは軒天見切材４で塞がれることがないので、外壁内部の空間Ｓと小屋裏とが連通し、外壁内部の通気性を高めることができる。
【０００６】
なお、軒天見切材４は、軒天の基端部における軒天材１と外装材２とが当接する端部に配設される部材であり、例えば、ラミネート塩化ビニル鋼板等からなり、軒天材１および外装材２の端部を外部から隠す見切りに用いる。
【０００７】
外装材２は、建物の躯体５の表面を覆う部材であり、防火性等を有する板状の素材を用いる場合があり、例えば、タイル貼り状やレンガ積み状の模様等、意匠性を高める模様が形成されている。
【０００９】
また、請求項１の発明によれば、前記躯体５には、支持部材６ａ，６ｂが前記外装材２より上方位置で固定され、この支持部材６ａに前記軒天見切材４が固定されるので、支持部材６ａ，６ｂを介して前記躯体５に軒天見切材４が固定される。このように固定された軒天見切材４と前記軒天材１とが係合されているので、軒天材１の基端部１ｂを固定する作業を容易に行うことができる。さらに、前記支持部材６ｂには、上下方向に貫通する通気孔８が形成されているので、前記外壁内部の空間Ｓと支持部材６ａ，６ｂの上部にある小屋裏とが連通し、外壁内部の通気が可能となる。
【００１０】
請求項３の発明は例えば、図５に示すように、建物の軒先に設けられた軒天材１の基端部１ｂと、建物の躯体５にこの躯体５との間に所定間隔を隔てて取付けられた外装材２の上端部との間に、軒天見切材４が設けられてなる軒天見切り構造において、
前記軒天見切材４は、上面部４ｂと、この上面部４ｂの下面から垂直に突出し、直角に曲折して凹溝状となっている係合部４ａとによって構成されており、
前記軒天材１の基端部と前記躯体５との間に、前記外装材２の上端部が配置され、前記軒天材１の基端部に前記軒天見切材４の係合部４ａが係合されており、かつ、この係合部４ａの裏側の少なくとも一部が前記外装材２の上端部表面に当接されており、
前記軒天材１は屋根１２の軒先裏面に、該屋根１２の傾斜方向に沿って取付けられており、
前記外装材２の上端と前記屋根１２との間に隙間が設けられており、この隙間に前記軒天見切材４の上面部４ｂの端部が挿入され、
前記軒天見切材４は屋根１２の裏面に固定されていることを特徴としている。
【００１１】
請求項３の発明によれば、前記軒天材１は屋根１２の軒先裏面に、該屋根１２の傾斜方向に沿って取付けられており、前記軒天見切材４は屋根１２の裏面に固定されているので、傾斜方向に沿って軒天材１が設けられた場合に、前記軒天見切材４によって前記軒天材１および外装材２の見切りが可能となる。また、図６に示すように屋根１２の裏面には格子状に屋根梁１３が組まれているので、外装材２が屋根１２の裏面近傍にあっても、外壁内部と屋根１２裏面とが連通する空間があり、通気路を確保することができる。
【００１３】
また、前記軒天見切材４は、前記軒天材１の基端部１ｂに係合する凹溝状の係合部４ａを備え、この係合部４ａが前記軒天材１に係合され、この係合部４ａの裏側の少なくとも一部が前記外装材２の上端部表面に当接されているので、一つの部材からなる軒天見切材４によって、軒天材１と外装材２とを同時に見切ることが可能である。よって、見切りに必要な部材の数を少なく抑えることができる。さらに、このような構成の軒天見切材４は、図１に示す桁側の軒天の他に、妻側の軒天（図４）や屋根裏面に軒天材１が設けられた（図５）際の見切りにも対応可能となるので、軒天見切材４の形状の統一が可能となり、部材の種類を少なく抑えられ、部材の管理が軽減できる。
【００１４】
請求項４の発明は、建物の軒先に設けられた軒天材１の基端部１ｂと、建物の躯体５にこの躯体５との間に所定間隔を隔てて取付けられた外装材２の上端部との間に、軒天見切材４が設けられてなる軒天見切り構造の施工方法であって、
前記軒天見切材４は、上面部４ｂと、この上面部４ｂの下面から垂直に突出し、直角に曲折して凹溝状となっている係合部４ａとによって構成されており、
まず、前記躯体５に前記外装材２を該躯体５との間に所定間隔を隔てて取付け、次に、前記躯体５に、上下に貫通する通気孔８が形成された支持部材６ｂを前記外装材２より上方位置で固定し、
次に、前記支持部材６ｂと前記外装材２との間の隙間に前記軒天見切材４の上面部４ｂの端部を差し込み、前記支持部材６ａに、軒天見切材４を前記外装材２の表面に当接するようにして取付け、次に、前記軒天見切材４の係合部４ａに、前記軒天材１の基端部１ｂを係合することを特徴としている。
【００１５】
請求項４の発明の軒天見切り構造の施工方法によれば、まず、前記躯体５に前記外装材２を該躯体５との間に所定間隔を隔てて取付け、次に、前記躯体５に、上下に貫通する通気孔８が形成された支持部材６ｂを前記外装材２より上方位置で固定し、次に、前記支持部材６ｂと前記外装材２との間の隙間に前記軒天見切材４の上面部４ｂの端部を差し込み、前記支持部材６ａに、軒天見切材４を前記外装材２の表面に当接するようにして取付け、次に、前記軒天見切材４の係合部４ａに、前記軒天材１の基端部１ｂを係合するので、前記軒天見切材４を容易に設置でき、外壁内部の通気路を確保し、かつ軒天材１および外装材２の見切りが可能である軒天見切り構造の施工を容易に行うことができる。
【００１６】
請求項５の発明は、建物の軒先に設けられた軒天材１の基端部１ｂと、建物の躯体５にこの躯体５との間に所定間隔を隔てて取付けられた外装材２の上端部との間に、軒天見切材４が設けられてなる軒天見切り構造の施工方法であって、
前記軒天見切材４は、上面部４ｂと、この上面部４ｂの下面から垂直に突出し、直角に曲折して凹溝状となっている係合部４ａとによって構成されており、
まず、前記躯体５に、上下に貫通する通気孔８が形成された支持部材６ｂを前記外装材２より上方位置で固定し、
次に、前記躯体５に前記外装材２を該躯体５との間に所定間隔を隔てて取付け、
次に、前記支持部材６ｂと前記外装材２との間の隙間に前記軒天見切材４の上面部４ｂの端部を差し込み、前記支持部材６ａに、軒天見切材４を前記外装材２の表面に当接するようにして取付け、次に、前記軒天見切材４の係合部４ａに、前記軒天材１の基端部１ｂを係合することを特徴としている。
【００１７】
請求項５の発明の軒天見切り構造の施工方法によれば、まず、前記躯体５に、上下に貫通する通気孔８が形成された支持部材６ｂを前記外装材２より上方位置で固定し、次に、前記躯体５に前記外装材２を該躯体５との間に所定間隔を隔てて取付け、次に、前記支持部材６ｂと前記外装材２との間の隙間に前記軒天見切材４の上面部４ｂの端部を差し込み、前記支持部材６ａに、軒天見切材４を前記外装材２の表面に当接するようにして取付け、次に、前記軒天見切材４の係合部４ａに、前記軒天材１の基端部１ｂを係合するので、前記軒天見切材４を容易に設置でき、外壁内部の通気路を確保し、かつ軒天材１および外装材２の見切りが可能である軒天見切り構造の施工を容易に行うことができる。
【００１８】
【発明の実施の形態】
以下、図面を参照して本発明に係る軒天見切り構造について説明する。図１は本発明における軒天納まり構造の一例の要部を示す断面図である。図１において、符号１は軒天材、符号２は外装材、符号３は胴縁、符号４は軒天見切材、符号６ａは野縁（支持部材），６ｂは軒天通気野縁（支持部材）であり、これらによって本発明の軒天見切り構造の主要部が構成されている。軒天材１は、石綿スレート板からなる軒先の奥行きとほぼ等しい長さを有する平板である。
【００１９】
軒天見切材４はラミネート塩化ビニル鋼板からなり、図２に示すように、上面部４ｂと係合部４ａとによって構成されている。上面部４ｂは矩形の平板状であり、この上面部４ｂの下面から垂直に突出し、直角に曲折して凹溝状となっている係合部４ａが、上面部４ｂの長手方向の辺と平行に設けられている。なお、前記上面部４ｂおよび係合部４ａの長尺方向の幅はほぼ等しくなっている。また係合部４ａの端部は、内側方向に折り曲げられて該係合部４ａ内面に当接するように処理されている。前記係合部４ａの高さは、軒天材１の厚さよりやや高く設定されている。
【００２０】
野縁（支持部材）６ａは木質の角材からなる矩形枠状の軒天材支持枠（図示せず）の一部をなし、図３に示すように、さらにその野縁（支持部材）６ａの辺の軒天材支持枠の外側に前記野縁（支持部材）６ａに沿ってもう一本の角材が軒天通気野縁６ｂとして取付けられている。この軒天通気野縁（支持部材）６ｂを介して前記野縁（支持部材）６ａは躯体５に取り付けられる。また、前記軒天通気野縁（支持部材）６ｂの躯体５に接する側面は、所定間隔で欠切した通気孔８が設けられている。
【００２１】
外装材２は、躯体５との間に長尺な板材である胴縁３によって所定間隔を保ちながら躯体５を覆っている。なお、胴縁３の厚さは前記野縁６ａの厚さより薄く、該胴縁３の左右端部には溝が形成されており、躯体５と外装材２との間に上下に所定間隔で複数本設けられている。この胴縁３により外壁内部の通気や防音等の効果が得られる。なお、本例では、躯体の構成部材である壁パネル５に、工場にて図示しない防水透湿シートを貼設後、胴縁３を貼設し、さらに外装材２が取り付けられた艤装壁パネル５となっている。
【００２２】
このような艤装パネルは、基準寸法＝９１０ｍｍを１Ｍ（モジュール）として、例えば、１／８Ｍ、１／４Ｍ、１／２Ｍ、１Ｍ、２Ｍ、４Ｍ…の寸法に規格化された標準パネルを主として構成されている。
【００２３】
次に、本実施の形態の施工方法について説明する。予め工場で艤装された前記艤装壁パネル５を用いて建物の躯体を構築すると、外装材２の上端の位置が決まる。前記外装材２の上端よりやや高い位置に、軒天の面積に応じた矩形枠状の野縁（支持部材）６ａを取り付ける。その野縁６ａの基端部側の枠の外側側面にはさらに軒天通気野縁６ｂを前記通気孔８を有する側面を壁側に向けて、軒先側から基端部方向へ釘７にて取り付ける。このとき、外装材２の上端側面と野縁６ａとの間には隙間ができる。該隙間に軒天見切材４の係合部４ａ背面側の上面部４ｂ端部を差し込み、上面部４ｂの所定の位置にて、その下側から上面部４ｂを通して上面部４ｂに接する野縁６ａ側へ釘７を打ち込み、該軒天見切材４を固定する。
【００２４】
続いて、固定された軒天見切材４の係合部４ａに軒天材１の基端部１ｂを係合し、軒天材１の反対側の端部を軒先側の所定の位置に納めるために、係合部４ａの奥部まで該軒天材１を押し込み、軒先側の端部を所定位置に納める。続いて、係合部４ａの奥まで押し込まれていた軒天材１を軒先側にずらして軒先側の挿入口（図示せず）側に係合させ、所定の位置で軒天材１の下面側から野縁６ａ側へ向けて釘７を打ち、軒天材１を固定する。以上により軒天見切りの施工が終了する。
【００２５】
本実施の形態の例によれば、外装材２勝ちとなっているので、外壁内部の通気を確保するために、軒天材１が外壁上部全面に当接して外壁内部の空間Ｓの上部を塞ぐことがなく、容易に通気性を確保することができる。さらに、軒天通気野縁（支持部材）６ｂに通気孔８を設けたので、小屋裏１０と外壁内部の空間Ｓとが連通して通気が可能となり、外壁内部の除湿効果が向上する。
【００２６】
また、軒天見切材４を外装材２と軒天通気野縁６ｂとの間に挿入し、外装材２の側面に係合部４ａの裏面を当接するので、軒天見切材４の設置位置を容易に決めることができる。軒天見切材４の突出する係合部４ａに軒天材１を係合するので、軒天材１および外装材２の見切りを行うことができる。また、前記係合部４ａは、軒天材１を所定位置に納める際に、軒天材１を一時的に支持することができるので、軒天材１の取付作業が容易となる。さらに、前記軒天見切材４は外観上目立たず、軒天の見切り部分がすっきりとした外観を呈する。
【００２７】
また、前記軒天見切材４によれば、外装材２の厚みの違いによって、前記軒天見切材４の形状を変えることなく対応できるので、外装材２の厚み変化に左右されない軒天見切材４となり、部材の種類が少なくでき、部材管理が軽減される。
【００２８】
なお、軒天見切材４の材質をラミネート塩化ビニル鋼板としたが、この材質に限定するものではなく、例えば、鋼板でもよく、野縁（支持部材）６ａに固定し、軒天材１を支持しうる十分な強度を有するものであればよい。また、外装材２および胴縁３については、予め工場にて外装材２および胴縁３が艤装された艤装壁パネル５を用いたが、これに限定するものではなく、建築現場にて外装材２および胴縁３を取り付ける構成であってもよく、要は躯体５と外装材２との間に胴縁３が設けられて、外壁内部の空間Ｓが設けられた構成であればよい。なお、建築現場にて外装材２および胴縁３を取り付ける場合は、軒天通気野縁（支持部材）６ｂおよび野縁（支持部材）６ａとを躯体に取り付けた後に、胴縁３および外装材２を取り付ける。
【００２９】
図４は、本実施の形態の第２の例であり、住宅の妻側の軒先の見切り構造の要部を示すものである。図１の桁側の軒先の例と同一形態の艤装壁パネル５および軒天材１および軒天気見切材４を用いる。躯体を構成する艤装壁パネル５は予め胴縁３および外装材２が取り付けられており、その外装材２上端と屋根芯材１１との間に隙間が出来るような構成となっている。この隙間に軒天見切材４の上面部４ｂの係合部４ａの背面側の端部を挿入し、前記軒天見切材４は屋根芯材１１に釘７を打って固定する。固定された軒天見切材４の係合部４ａに軒天材１を係合させ、前記第１の例と同様に軒先側の所定の位置に軒天材１の端部を納める処理を行う。その後、軒天材１の下面側から屋根芯材１１側に釘７を打って軒天材１を固定し、軒天の施工を終了する。
【００３０】
上記第２の実施の形態の例によれば、妻側の軒天の見切りにおいても、容易に作業でき、かつ外観意匠上すっきりとした軒天を仕上げることができる。また、桁側の軒先で用いたものと同一形状の軒天見切材４を妻側の軒天の見切りにも用いることができるので、住宅の軒天の見切り作業における軒天見切材４の形状統一が可能となり、部品の管理や生産コストが軽減される。
【００３１】
なお、本実施の例では予め工場にて胴縁３および外装材２が艤装された艤装壁パネル５を用いたが、これに限定するものではなく、建築現場にて胴縁３と外装材２を取り付けてもよい。
【００３２】
図５は、本実施の形態の第３の例を示す図である。本例では、軒天材１が屋根１２の裏面に沿って配設される軒天構造に本発明の軒天見切り構造を適用したものである。この屋根１２は、予め工場で製造された屋根パネルで構成されている。図５の（ａ）〜（ｄ）は、それぞれ屋根の勾配が異なり、（ａ）が最も緩やかな勾配屋根となり、順に勾配が大きくなり、（ｄ）は最も勾配が大きい例を示すものである。なお、例（ａ）〜（ｄ）に用いられている軒天材１と軒天見切材４と艤装壁パネル５とはそれぞれ同じ形状のものであり、各設置場所に応じて各部材の大きさが変化したものである。
【００３３】
（ａ）では、躯体を構成する艤装壁パネル５には外装材２が屋根の裏面近傍まで設けられており、該外装材２の上端部と屋根１２とには隙間が出来るようになっている。この隙間に前記軒天見切材４を屋根１２に沿うように挿入し、軒天見切材４の上面部４ｂの所定の位置から屋根１２側に釘７を打ち、該軒天見切材４を固定する。このとき、軒天見切材４の係合部４ａの突出する角部が前記外装材２に当接している。次いで、軒天材１の一方の端部を係合部４ａに係合し、他方の端部を軒先側の端部の所定の位置に納め、軒天材１側から屋根１２側に釘７を打ち固定する。
【００３４】
（ｂ）〜（ｄ）についても、上記（ａ）と同様の構成および施工方法を用いる。なお、（ａ）〜（ｄ）の構造のように、外装材２の上端が屋根１２裏面近傍まであっても、図６に示すように、屋根１２には格子状の屋根梁１３が設けられ、この屋根梁１３によって屋根１２裏面と外壁内部とに連通する空間が設けられ、通気性を確保できる。
【００３５】
従って、本発明の軒天見切り構造は、屋根１２の勾配角度に影響されることなく、同一形状の軒天見切材４および艤装壁パネル５を用いることが可能であり、軒天見切材４の標準化を進めることができる。また、軒天材１と外装材２とが垂直に当接しない場合においても、同一形状の軒天見切材４を用いて軒裏を施工することができるので、軒裏施工に必要な部材の種類を減らすことができ、部材の管理や転用が容易に行えるので、部品の形状統一による共通化が可能となり、部品の管理および生産面での効率化が図られる。さらに、軒天見切材４は艤装されたパネルを用いた軒天と一般的な材工を用いた軒天とのいずれの場合にも使用可能なので、艤装用の部品と一般材工部品とを形状を統一することも可能であり、部品の種類を減らすことが可能となる。
【００３６】
なお、本実施の例においては、屋根パネルおよび艤装壁パネル５を用いた建物の例を示したが、これに限定するものではなく、建物が軸組によって構築され、前記建物の屋根を支持する支持部材が柱、梁により構成されてなる従来の工法による屋根や外装材を有する壁であってもよい。
【００３７】
【発明の効果】
請求項１および２の発明によれば、外装材の端部の上面は少なくとも前記軒天材に覆われることのない外装材勝ちであり、軒天材の基端部と外装材の上端部との間に軒天見切材が設けられる構成により、前記外壁内部の空間の上部が前記軒天材あるいは軒天見切材で塞がれることがない。また、この軒天見切材は前記外装材の表面側に当接されるので、軒天見切材を容易に所定の位置に取付けることができるとともに、前記軒天材および外装材の見切りが可能になる。
【００３８】
また、請求項１の発明によれば、前記躯体に支持部材が前記外装材より上方位置で固定され、この支持部材に前記軒天見切材が固定されるので、支持部材を介して前記躯体と軒天見切材とが固定される。この固定された軒天見切材と前記軒天材とが係合しているので、軒天材の基端部を容易に納めることができる。さらに、前記支持部材に設けられた通気孔によって、前記外壁内部の空間と支持部材の上部にある小屋裏とが連通し、外壁内部の通気性が向上する。
【００３９】
請求項３の発明によれば、請求項１と同様の効果を得ることができるのは勿論のこと、屋根の傾斜方向に沿って屋根裏面に前記軒天材が取付けられ、屋根の裏面に前記軒天見切材が固定されたので、傾斜方向に沿って軒天材が設けられた場合にも、前記軒天見切材によって前記軒天材および外装材の見切りが可能となる。また、屋根の裏面と外壁内部とが連通する空間があるので、外装材が屋根の裏面近傍にあっても、通気路を確保することができる。
【００４０】
また、前記軒天見切材の係合部を備え、この係合部の裏側の少なくとも一部が前記外装材の上端部表面に当接される構成によって、前記軒天見切材の取付位置を容易に特定でき、一つの部材からなる軒天見切材で軒天材と外装材とを同時に見切ることが可能になる。よって、見切りに必要な部材の数を少なく抑えることができる。さらに、このような構成の軒天見切材は、桁側および妻側の軒天や屋根裏面に軒天材が設けられた際の見切りにも対応可能となるので、軒天見切材の形状の統一が可能となり、部材の種類を少なく抑えられ、部材の管理が軽減できる。
【００４１】
請求項４の発明の軒天見切り構造の施工方法によれば、前記軒天見切材を容易に設置でき、外壁内部の通気路を確保し、軒天材を納め、かつ軒天材および外装材の見切りが可能である軒天見切り構造の施工を容易に行うことができる。
【００４２】
請求項５の発明の軒天見切り構造の施工方法によれば、外壁内部の通気路を確保し、前記軒天見切材を容易に設置でき、軒天材を納め、かつ軒天材および外装材の見切りが可能である軒天見切り構造の施工を容易に行うことができる。
【図面の簡単な説明】
【図１】本発明の実施の形態における、軒天見切り構造の一例を示す桁側の断面図である。
【図２】本発明の軒天見切材の斜視図である。
【図３】本発明の軒天見切り構造を用いた桁側の軒の斜視図である。
【図４】本発明の軒天見切り構造を妻側に適用した例の要部を示す断面図である。
【図５】本発明の軒天見切り構造を勾配軒天に適用した例の要部を示す断面図である。
【図６】図５の例の外装材と屋根裏面との当接部を示す斜視図である。
【符号の説明】
１    軒天材
１ｂ  基端部
２    外装材
４    軒天見切材
４ａ  係合部
５    躯体（壁パネル）
６ａ  野縁（支持部材）
６ｂ  軒天通気野縁（支持部材）
８    通気孔
１２  屋根
【図１】
0004469075.tif 000002
【図２】
0004469075.tif 000003
【図３】
0004469075.tif 000004
【図４】
0004469075.tif 000005
【図５】
0004469075.tif 000006
【図６】
0004469075.tif 000007